(57)【要約】【課題】サイズの異なる蓋を備える複数機種間において部品の共用化が可能な蓋取り付け構造を提供する。【解決手段】電子機器に用いる蓋取り付け構造は、少なくとも端子７１を覆うための第１端子蓋５０Ａおよび端子７１並びに端子７２を覆うための第２端子蓋５０Ｂのうちいずれか一方が選択的に開閉可能に装着されるフレーム６０と、第２端子蓋５０Ｂがフレーム６０に対して装着された状態において第２端子蓋５０Ｂと干渉しないようにフレーム６０に設けられ、第１端子蓋５０Ａと係合可能な突起部６３Ａと、第１端子蓋５０Ａがフレーム６０に対して装着された状態において第１端子蓋５０Ａと干渉しないようにフレーム６０上に設けられ、第２端子蓋５０Ｂと係合可能な突起部６３Ｂと、を備える。【選択図】図６
2013167864.tif 000002
【特許請求の範囲】
【請求項１】
電子機器に用いる蓋取り付け構造であって、
少なくとも第１領域を覆うための第１蓋および前記第１領域を含む第２領域を覆うための第２蓋のうちいずれか一方が選択的に開閉可能に装着されるフレームと、
前記第２蓋が前記フレームに対して装着された状態において前記第２蓋と干渉しないように前記フレーム上に設けられ、前記第１蓋と係合可能な第１取り付け部と、
前記第１蓋が前記フレームに対して装着された状態において前記第１蓋と干渉しないように前記フレーム上に設けられ、前記第２蓋と係合可能な第２取り付け部と、
を備えた蓋取り付け構造。
【請求項２】
前記第１取り付け部は、前記第２蓋が前記フレームに対して装着された状態において前記第２蓋の第２ヒンジ部と干渉しない前記フレーム上の位置から突出して設けられ、前記第１蓋の第１ヒンジ部に形成された第１穴部と係合可能な第１突起を有し、
前記第２取り付け部は、前記第１蓋が前記フレームに対して装着された状態において前記第１ヒンジ部と干渉しない前記フレーム上の位置から突出して設けられ、前記第２蓋の前記第２ヒンジ部に形成された第２穴部と係合可能な第２突起を有する、請求項１に記載の蓋取り付け構造。
【請求項３】
前記第２蓋が前記フレームに対して装着された状態において前記第２蓋と干渉しないように前記フレーム上に設けられ、前記第１取り付け部に前記第１蓋が係合している状態において前記第１蓋が前記フレームから離間することを規制する第１規制部と、
前記第１蓋が前記フレームに対して装着された状態において前記第１蓋と干渉しないように前記フレーム上に設けられ、前記第２取り付け部に前記第２蓋が係合している状態において前記第２蓋が前記フレームから離間することを規制する第２規制部とを備えた、請求項１記載の蓋取り付け構造。
【請求項４】
前記第２蓋が前記フレームに対して装着された状態において前記第２ヒンジ部と干渉しないように前記フレーム上に設けられ、前記第１穴部に前記第１突起が係合している状態において前記第１突起から前記第１穴部が離間することを規制する第１規制部と、
前記第１蓋が前記フレームに対して装着された状態において前記第１ヒンジ部と干渉しないように前記フレーム上に設けられ、前記第２穴部に前記第２突起が係合している状態において前記第２突起から前記第２穴部が離間することを規制する第２規制部と、
を備えた請求項２記載の蓋取り付け構造。
【請求項５】
前記第１規制部は、前記第２規制部の少なくとも一部と兼ねられている、請求項３又は４記載の蓋取り付け構造。
【請求項６】
請求項１〜５のいずれかに記載の蓋取り付け構造と、
前記蓋取り付け構造に取り付けられた、少なくとも第１領域を覆うための第１蓋又は前記第１領域を含む第２領域を覆うための第２蓋とを備えた電子機器。
【発明の詳細な説明】
【技術分野】
【０００１】
本発明は、蓋取り付け構造及びそれを備えた電子機器に関する。
【背景技術】
【０００２】
デジタルカメラ等の電子機器には、外部機器との接続用の端子が設けられている。また、これらの電子機器において、端子を使用しない場合には端子の保護や外観上の観点から、蓋で端子を覆う構成が用いられている。特許文献１は、蓋であるカバー部材に、カバー部材よりも軟質で可撓性を有する材料で形成したヒンジ部材を組み合わせた構成を開示している。
【先行技術文献】
【特許文献】
【０００３】
【特許文献１】特開２００４−２３４８６１号公報
【発明の概要】
【発明が解決しようとする課題】
【０００４】
電子機器において、筐体の形状はほぼ同じであるが、備える機能の差に起因して端子の数が異なる複数の機種を製造・販売する場合がある。例えば、上位機種は映像出力端子を備えるが、下位機種ではそれがない、といった場合である。そのような複数機種においては、端子数が異なるのに応じて、それに見合ったサイズの蓋を設けるのが外観上の観点からも望ましい。
【０００５】
しかしながら、蓋のサイズが異なると、主な外装板等については共用できるものの、蓋のサイズに応じて蓋に隣接する外装板や、蓋を取り付ける先のフレームを複数用意する必要があり、この部分については機種間での共用化が困難であった。このため、複数機種全体としての部品点数の削減が困難であった。
【０００６】
本開示は、上述の状況に鑑みてなされたものであり、サイズの異なる蓋を備える複数機種間において部品の共用化が可能な蓋取り付け構造及び電子機器を提供する。
【課題を解決するための手段】
【０００７】
本開示における電子機器に用いる蓋取り付け構造は、少なくとも第１領域を覆うための第１蓋および第１領域を含む第２領域を覆うための第２蓋のうちいずれか一方が選択的に開閉可能に装着されるフレームと、第２蓋がフレームに対して装着された状態において第２蓋と干渉しないようにフレーム上に設けられ、第１蓋と係合可能な第１取り付け部と、第１蓋がフレームに対して装着された状態において第１蓋と干渉しないようにフレーム上に設けられ、第２蓋と係合可能な第２取り付け部と、を備える。
【発明の効果】
【０００８】
本開示における蓋取り付け構造及び電子機器は、サイズの異なる蓋を備える複数機種間において部品の共用化が可能である。
【図面の簡単な説明】
【０００９】
【図１】（ａ）実施の形態１に係るデジタルカメラ１００Ｂの正面側から見た斜視図、（ｂ）実施の形態１に係るデジタルカメラ１００Ｂの裏面側から見た斜視図
【図２】（ａ）実施の形態１に係るデジタルカメラ１００Ａの側面図、（ｂ）実施の形態１に係るデジタルカメラ１００Ａの正面図
【図３】（ａ）実施の形態１に係るデジタルカメラ１００Ｂの側面図、（ｂ）実施の形態１に係るデジタルカメラ１００Ａの正面図
【図４】実施の形態１に係るデジタルカメラ１００Ａの分解斜視図
【図５】実施の形態１に係るデジタルカメラ１００Ｂの分解斜視図
【図６】実施の形態１に係るデジタルカメラ１００Ａの第１端子蓋５０Ａ周辺の拡大図
【図７】実施の形態１に係るデジタルカメラ１００Ｂの第２端子蓋５０Ｂ周辺の拡大図
【図８】実施の形態１に係るデジタルカメラ１００Ａの第１端子蓋５０Ａ周辺の拡大図
【図９】実施の形態１に係るデジタルカメラ１００Ｂの第２端子蓋５０Ｂ周辺の拡大図
【図１０】実施の形態１に係る蓋取り付け構造の変形例の斜視図
【図１１】実施の形態１に係る蓋取り付け構造の変形例の斜視図
【図１２】実施の形態１に係る蓋取り付け構造の変形例の斜視図
【図１３】実施の形態１に係る蓋取り付け構造の変形例の斜視図
【図１４】実施の形態１に係る蓋取り付け構造の変形例の斜視図
【図１５】実施の形態１に係る蓋取り付け構造の変形例の斜視図
【図１６】実施の形態１に係る蓋取り付け構造の変形例の斜視図
【発明を実施するための形態】
【００１０】
次に、適宜図面を参照しながら、実施の形態について詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。又、以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１１】
すなわち、発明者らは、当業者が本開示を十分に理解するために添付図面および以下の説明を提供するのであって、これらによって特許請求の範囲に記載の主題を限定することを意図するものではない。
【００１２】
なお、以下の実施形態では、蓋を備える電子機器としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。
【００１３】
（実施の形態１）
以下、図１〜図９を用いて、実施の形態１を説明する。
（１−１．デジタルカメラ１００Ａおよび１００Ｂの全体構成）
本実施の形態のデジタルカメラ１００Ａおよび１００Ｂは、外部機器と接続するための端子の数が互いに異なる。このため、端子を覆う端子蓋（蓋の一例）を各々異なるサイズで構成している。他の構成は共通である。詳しくは後述するが、特に、フレーム６０を、デジタルカメラ１００Ａに対応するカバーである第１端子蓋５０Ａおよびデジタルカメラ１００Ｂに対応するカバーである第２端子蓋５０Ｂの両方を取り付け可能な構成とすることにより、２種類のデジタルカメラに共用化している。これにより、２種類のデジタルカメラにおける部品総数の削減が可能となる。
【００１４】
図１（ａ）は、実施の形態１に係るデジタルカメラ１００Ｂを前方から見た斜視図である。図１（ｂ）は、実施の形態１に係るデジタルカメラ１００Ｂを後方から見た斜視図である。図２（ａ）は、実施の形態１に係るデジタルカメラ１００Ａの右方からみた側面図である。図２（ｂ）は、実施の形態１に係るデジタルカメラ１００Ａの正面図である。
図３（ａ）は、実施の形態１に係るデジタルカメラ１００Ｂの右方からみた側面図である。図３（ｂ）は、実施の形態１に係るデジタルカメラ１００Ｂの正面図である。
【００１５】
本実施の形態１の各デジタルカメラは、外観上は端子蓋周辺を除いて共通の構成を備えている。そこでまず図１を参照し、デジタルカメラ１００Ｂを例にとって外観上の構成について説明する。
【００１６】
デジタルカメラ１００Ｂは、前板１０（「板状部材」の一例）と、後板２０と、上板３０と、側板４０Ｂと、第２端子蓋５０Ｂと、モニタ２５と、レンズ８０と、を備える。前板１０、後板２０、上板３０、及び側板４０Ｂは、本実施形態に係る「筐体」を構成する。
【００１７】
前板１０は、筐体の前側のパネルを構成する。前板１０は、最も面積が広い平面が前方を向くように配置される。後板２０は、筐体の後側のパネルを構成する。上板３０は、筐体の上側のパネルを構成する。側板４０Ｂは、筐体の右側面のパネルを構成する。なお、筐体の左側面は、前板１０の左端部および後板２０の左端部が湾曲して回り込むことにより構成されている。第２端子蓋５０Ｂは、側板４０Ｂ上に配置される端子を覆うための蓋である。第２端子蓋５０Ｂは、側板４０Ｂに対して開閉可能なように取り付けられる。モニタ２５は、後板２０の内面に固定される。レンズ８０は、前板１０の内面側に配置される。レンズ８０は、デジタルカメラ１００Ｂの電源がオンになると、前方に繰り出され、撮影可能な状態となる。
【００１８】
図２に示すデジタルカメラ１００Ａも、デジタルカメラ１００Ｂと基本的に同様の構成である。ただし、外観上は側板と端子蓋の構成のみが異なり、デジタルカメラ１００Ｂでは側板４０Ｂおよび第２端子蓋５０Ｂが設けられているが、デジタルカメラ１００Ａでは側板４０Ａおよび第１端子蓋５０Ａが設けられている。
【００１９】
デジタルカメラ１００Ａは、外部機器に接続するための端子（後述する図４に示す端子７１）を１つ備えている。一方、デジタルカメラ１００Ｂは、外部機器に接続するための端子を２つ備えている。２つの端子（後述する図５に示す端子７１、７２）は、上下方向に並んで配置される。このため、端子蓋もこれに対応し、デジタルカメラ１００Ａの第１端子蓋５０Ａは、１端子をカバーするだけの上下方向の幅を有している。また、デジタルカメラ１００Ｂの第２端子蓋５０Ｂは、２端子をカバーするだけの上下方向の幅を有している。このため、第２端子蓋５０Ｂの上下方向の幅は第１端子蓋５０Ａの上下方向の幅よりも広い。
【００２０】
図４は、デジタルカメラ１００Ａの分解斜視図である。フレーム６０はレンズ８０を備える。フレーム６０の前方に前板１０を取り付けると、開口部１１よりレンズ８０が繰り出し可能となる。フレーム６０の後方右側に基板７０が取り付けられる。デジタルカメラ１００Ａにおいては基板７０に端子７１が設けられており、右方向より外部機器に接続可能となる。
フレーム６０の上方に上板３０が取り付けられ、後方に後板２０が取り付けられる。
【００２１】
フレーム６０の右側面より第１端子蓋５０Ａが取り付けられ、それを固定する為に側板４０Ａが右側面より取り付けられる。側板４０Ａのうち、端子７１と対向する部分には穴４１Ａが設けられている。そのため、側板４０Ａをフレーム６０に取り付けると、穴４１Ａから端子７１が露出する。この第１端子蓋５０Ａをフレーム６０に取り付けるための蓋取り付け構造１が設けられている。
【００２２】
図５は、デジタルカメラ１００Ｂの分解斜視図である。フレーム６０はレンズ８０を備える。フレーム６０の前方に前板１０を取り付けると、開口部１１よりレンズ８０が繰り出し可能となる。フレーム６０の後方右側に基板７０が取り付けられる。デジタルカメラ１００Ｂにおいては基板７０に端子７１および端子７２が設けられており、右方向より外部機器に接続可能となる。フレーム６０の上方に上板３０が取り付けられ、後方に後板２０が取り付けられる。フレーム６０の右側面より第２端子蓋５０Ｂが取り付けられ、それを固定する為に側板４０Ｂが右側面より取り付けられる。側板４０Ｂのうち、端子７１および端子７２と対向する部分には各々穴４１Ｂおよび穴４２Ｂが設けられているため、側板４０Ｂをフレーム６０に取り付けると、穴４１Ａから端子７１が、穴４２Ｂから端子７２が、各々露出する。これらの端子７１及び端子７２を覆うための第２端子蓋５０Ｂをフレーム６０に取り付ける蓋取り付け構造１が設けられている。
【００２３】
（１−２．デジタルカメラ１００Ａの第１端子蓋５０Ａ周辺の詳細構成）
以下に、第１端子蓋５０Ａ周辺の構成について説明するとともに、蓋取り付け構造１の構成についても述べる。
【００２４】
図６は、デジタルカメラ１００Ａの第１端子蓋５０Ａ周辺の分解拡大図である。本実施の形態１の蓋取り付け構造１は、フレーム６０と、フレーム６０の右側面に形成された、突起部６３Ａ（第１突起部および第１取り付け部の一例）、規制部６４Ａ（第１規制部の一例）、突起部６３Ｂ（第２突起部および第２取り付け部の一例）、規制部６４Ｂ（第２規制部の一例）および規制部６４２Ｂ（第２規制部の一例）とを備える。
【００２５】
フレーム６０は、その前側が後側に比べて左方向側に形成された略段形状であり、段形状の前側の前段部６０Ａと、段形状の後側の後段部６０Ｂと、前段部６０Ａと後段部６０Ｂとを繋ぐ段差部６０Ｃとを有している。
【００２６】
突起部６３Ａは、第１端子蓋５０Ａの第１穴部５３Ａを貫通して、第１蓋部５１Ａをフレーム６０に取り付けるために設けられている。この突起部６３Ａは、フレーム６０に基板７０を取り付けたときに、端子７１の前方の位置の前段部６０Ａから右方に突出するように設けられている。
【００２７】
規制部６４Ａは、第１端子蓋５０Ａがフレーム６０上から離間することを規制し仮固定を行うために、突起部６３Ａの下方に設けられている。この規制部６４Ａは、突起部６３Ａと所定間隔をもって突起部６３Ａに向けて突出するように後段部６０Ｂから形成されている。つまり、規制部６４Ａは、その先端部の形状が突起部６３Ａ側に突き出る形状となっており、第１ヒンジ部５２Ａのうち第１穴部５３Ａの下側の部分５２３Ａの幅Ｗ１よりも、突起部６３Ａおよび規制部６４Ａの隙間Ｓ１が狭くなっている。また、規制部６４Ａと前段部６０Ａの間には所定の間隔ｄ２が設けられており、この所定の間隔ｄ２は、第１ヒンジ部５２Ａの厚みｄ１よりも若干大きくなるように構成されている。
【００２８】
第１端子蓋５０Ａは、第１蓋部５１Ａ、第１ヒンジ部５２Ａ、及び第１穴部５３Ａを有し、端子７１をカバーする目的にて使用される。第１蓋部５１Ａの前方には弾性材料にて構成された第１ヒンジ部５２Ａが突出して配置されている。第１ヒンジ部５２Ａの中央部には、第１穴部５３Ａが設けられている。第１穴部５３Ａは、突起部６３Ａを貫通させる為、突起部６３Ａよりも大きな形状となっている。なお、フレーム６０のうち端子７１周辺の領域は、第１領域の一例である。
【００２９】
図８は、フレーム６０に第１端子蓋５０Ａを取り付けた様子を示す図である。上記のような寸法の関係になっているため、フレーム６０に第１端子蓋５０Ａを取り付ける為に、第１穴部５３Ａを突起部６３Ａに差し込むと、規制部６４Ａが第１端子蓋５０Ａの脱落防止及び突起部６３Ａを中心とした回転方向への規制を行う。これにより、第１端子蓋５０Ａはフレーム６０に仮固定される。
【００３０】
側板４０Ａには穴４１Ａが設けられており、側板４０Ａをフレーム６０に取り付けると、穴４１Ａが端子７１に嵌合し、穴４１Ａから端子７１が露出する。側板４０Ａをフレーム６０に取り付ける事で、第１ヒンジ部５２Ａが側板４０Ａで押さえられ、第１端子蓋５０Ａはフレーム６０に完全に固定される。
【００３１】
（１―３．デジタルカメラ１００Ｂの第２端子蓋５０Ｂ周辺の詳細構成）
以下に、第２端子蓋５０Ｂ周辺の構成について説明するとともに、蓋取り付け構造１の構成についても述べる。
【００３２】
図７は、デジタルカメラ１００Ｂの第２端子蓋５０Ｂ周辺の拡大図である。蓋取り付け構造１及びフレーム６０はデジタルカメラ１００Ａと共通であるため、既出の構成についての説明は省略する。
【００３３】
突起部６３Ｂは、第２端子蓋５０Ｂの第２穴部５３Ｂを貫通して、第２蓋部５１Ｂをフレーム６０に取り付けるために設けられている。この突起部６３Ｂは、フレーム６０に基板７０を取り付けたときに、上下に並んで配置される端子７１および端子７２の中央付近の前方に位置しており、前段部６０Ａのこの位置から右方に突出するように設けられている。突起部６３Ｂは、段差部６０Ｃから前方に突出するように形成されているともいえる。
【００３４】
規制部６４Ｂ及び規制部６４２Ｂは、第２端子蓋５０Ｂがフレーム６０から離間することを規制し仮固定を行うために設けられている。規制部６４Ｂは、突起部６３Ｂの先端から下方に向けて突出するように設けられている。規制部６４２Ｂは、規制部６４Ｂより上方の位置の後段部６０Ｂから、下方に向けて突出するように設けられている。規制部６４Ｂと前段部６０Ａの間及び規制部６４２Ｂと前段部６０Ａの間にはそれぞれ所定の間隔ｄ４、ｄ５が設けられており、この所定の間隔ｄ４、ｄ５は第２ヒンジ部５２Ｂの厚みｄ３よりも若干大きくなるように構成されている。
【００３５】
第２端子蓋５０Ｂは、第２蓋部５１Ｂ、第２ヒンジ部５２Ｂ、及び第２穴部５３Ｂを有し、端子７１、端子７２をカバーする目的にて使用される。第２蓋部５１Ｂの前方には弾性材料にて構成された第２ヒンジ部５２Ｂが突出して配置されている。第２ヒンジ部５２Ｂの中央部には、第２穴部５３Ｂが設けられている。第２穴部５３Ｂは、突起部６３Ｂを貫通させる為、突起部６３Ｂよりも大きな形状となっている。なお、フレーム６０のうち端子７１および端子７２周辺の領域は、第１領域を含む第２領域の一例である。
【００３６】
規制部６４Ｂと規制部６４２Ｂは第２ヒンジ部５２Ｂの脱落を防ぐ為、下方向に突き出した形状となっている。より詳細には、次のような寸法の関係になっている。第２穴部５３Ｂの上下方向の幅をＬ１、突起部６３Ｂの上下方向の幅をＬ２、規制部６４Ｂの上下方向の幅をＬ３、第２ヒンジ部５２Ｂのうち第２穴部５３Ｂより上側の部分５２２Ｂの幅をＬ４、規制部６４Ｂと規制部６４２Ｂとの間隔をＬ５としたときに、Ｌ２とＬ３とはほぼ等しく、Ｌ１はＬ２およびＬ３よりもわずかに大きい。また、Ｌ５はＬ４よりわずかに大きい。尚、Ｌ１がＬ２およびＬ３よりもわずかに大きいことにより、第２穴部５３Ｂの内側を規制部６４Ｂが通過でき、突起部６３Ｂを第２穴部５３Ｂ内に配置することが可能となる。又、Ｌ５がＬ４よりわずかに大きいことにより、規制部６４Ｂと規制部６４２Ｂの間を第２ヒンジ部５２Ｂの上側の部分５２２Ｂが通り抜けることが出来る。
【００３７】
図９は、フレーム６０に第２端子蓋５０Ｂを取り付けた様子を示す図である。上記のような寸法の関係であるので、第２ヒンジ部５２Ｂをフレーム６０に取り付ける際には、第２端子蓋５０Ｂの第２穴部５３Ｂを、規制部６４Ｂを通して突起部６３Ｂに差し込み、第２端子蓋５０Ｂを規制部６４Ｂに接触するまで上方向へ移動させる事により、第２ヒンジ部５２Ｂは規制部６４Ｂ、規制部６４２Ｂに保持され、フレーム６０に仮固定される。側板４０Ｂには穴４１Ｂ、穴４２Ｂが設けられており、側板４０Ｂをフレーム６０に取り付けると、穴４１Ｂ、穴４２Ｂが各々端子７１、端子７２に嵌合し、穴４１Ｂから端子７１が、穴４２Ｂから端子７２が、各々露出する。側板４０Ｂをフレーム６０に取り付ける事で、第２ヒンジ部５２Ｂが側板４０Ｂで押さえられ、第２端子蓋５０Ｂは完全に固定される。
【００３８】
（１―４．第１端子蓋用の突起部及び規制部と第２端子蓋との配置関係）
第２端子蓋５０Ｂがフレーム６０に取り付けられた状態において、第２端子蓋５０Ｂに干渉しないように突起部６３Ａ及び規制部６４Ａは設けられている。ここで干渉する場合とは、突起部６３Ａ及び規制部６４Ａが設けられていることによって、第２端子蓋５０Ｂがフレーム６０に取り付けられない場合を意味し、本実施の形態では干渉しないため、第１端子蓋５０Ａ用の突起部６３Ａ及び規制部６４Ｂが設けられていても第２端子蓋５０Ｂを取り付けることが出来る。
【００３９】
本実施の形態１では、突起部６３Ａが第２端子蓋５０Ｂに干渉しないように、突起部６３Ｂから突起部６３Ａまでの距離Ｌ６（図７参照）が、第２ヒンジ部５２Ｂのうち第２穴部５３Ｂの下側の部分５２３Ｂの幅Ｌ７（図７参照）よりも長くなるように設定されている。すなわち、突起部６３Ａは、第２端子蓋５０Ｂをフレーム６０に取り付けた状態において、第２端子蓋５０Ｂの第２ヒンジ部５２Ｂと干渉しないフレーム６０上の位置に設けられている。また、規制部６４Ａが第２端子蓋５０Ｂに干渉しないように、規制部６４Ａは突起部６３Ａを挟んで突起部６３Ｂの反対側に配置されている。
【００４０】
（１―５．第２端子蓋用の突起部及び規制部と第１端子蓋との配置関係）
又、第１端子蓋５０Ａがフレーム６０に取り付けられた状態において、第１端子蓋５０Ａに干渉しないように突起部６３Ｂ、規制部６４Ｂ、及び規制部６４２Ｂが設けられている。ここで干渉する場合とは、突起部６３Ｂ、規制部６４Ｂ、及び規制部６４２Ｂが設けられていることによって、第１端子蓋５０Ａがフレーム６０に取り付けられない場合を意味し、本実施の形態では干渉しないため、第２端子蓋５０Ｂ用の突起部６３Ｂ、規制部６４Ｂ、及び規制部６４２Ｂが設けられていても第１端子蓋５０Ａをフレーム６０に取り付けることが出来る。
【００４１】
本実施の形態１では、突起部６３Ｂが第１端子蓋５０Ａに干渉しないように、突起部６３Ｂから突起部６３Ａまでの距離Ｌ６が、第１ヒンジ部５２Ａのうち第１穴部５３Ａの上側の部分５２２Ａの幅Ｗ３（図６参照）よりも長くなるように設定されている。すなわち、突起部６３Ｂは、第１端子蓋５０Ａをフレーム６０に取り付けた状態において、第１端子蓋５０Ａの第１ヒンジ部５２Ａと干渉しないフレーム６０上の位置に設けられている。又、規制部６４Ｂの下方の先端と突起部６３Ａとの間隔Ｌ８が幅Ｗ３よりも小さい場合であっても、規制部６４Ｂと前段部６０Ａの間隔が第２ヒンジ部５２Ｂの厚みよりも若干大きく構成されているため、取り付け状態において第１端子蓋５０Ａは規制部６４Ｂによって干渉されない。尚、規制部６４Ｂの下方の先端と突起部６３Ａとの間隔Ｌ８（図７参照）が幅Ｗ３よりも小さくても、第１ヒンジ部５２Ａが弾性部材によって形成されているため、第１ヒンジ部５２Ａを撓ませることによって第１ヒンジ部５２Ａを規制部６４Ｂの下方に潜り込ませることが出来るので、第１端子蓋５０Ａをフレーム６０に取り付けることが出来る。
【００４２】
（１−６．作用及び効果等）
以上のように、本実施の形態において、蓋取り付け構造１は、フレーム６０と、第１取り付け部の一例である突起部６３Ａと、第２取り付け部の一例である突起部６３Ｂとを備える。フレーム６０は、少なくとも端子７１を含む領域（第１領域の一例）を覆うための第１端子蓋５０Ａ（第１蓋の一例）および端子７１及び端子７２を含む領域（第２領域の一例）を覆うための第２端子蓋５０Ｂ（第２蓋の一例）のいずれか一方が選択的に開閉可能に装着される。第１取り付け部の一例である突起部６３Ａは、第２端子蓋５０Ｂがフレーム６０に対して装着された状態において第２端子蓋５０Ｂと干渉しないフレーム６０上の位置に設けられている。突起部６３Ａは、第１端子蓋５０Ａの第１ヒンジ部５２Ａに形成された第１穴部５３Ａと係合可能である。また、第２取り付け部の一例である突起部６３Ｂは，第１端子蓋５０Ａがフレームに対して装着された状態において第１端子蓋５０Ａと干渉しないフレーム６０上の位置に設けられている。突起部６３Ｂは、第２穴部５３Ｂと係合可能である。
【００４３】
これにより、第１端子蓋５０Ａを取り付ける際には突起部６３Ｂが第１端子蓋５０Ａに干渉せず、第２端子蓋５０Ｂを取り付ける際には突起部６３Ａが第２端子蓋５０Ｂに干渉しないため、蓋取り付け構造１に第１端子蓋５０Ａ及び第２端子蓋５０Ｂを選択的に取り付けることが可能となる。そのため、第１端子蓋５０Ａ及び第２端子蓋５０Ｂのいずれに対しても同様の構成の蓋取り付け構造１を用いることが出来、複数機種間で部品点数を減らすことが可能となる。
【００４４】
また、本実施の形態において、蓋取り付け構造１は、第１規制部の一例である規制部６４Ａと、第２規制部の一例である規制部６４Ｂ及び規制部６４２Ｂとを備えている。規制部６４Ａは、第２端子蓋５０Ｂがフレーム６０に対して装着された状態において第２端子蓋５０Ｂに干渉しないようにフレーム６０上に設けられている。規制部６４Ｂ及び規制部６４２Ｂは、第１端子蓋５０Ａがフレーム６０に対して装着された状態において第１端子蓋５０Ａに干渉しないようにフレーム６０上に設けられている。
【００４５】
これにより、第１端子蓋５０Ａを取り付ける際には規制部６４Ｂ及び規制部６４２Ｂが第１端子蓋５０Ａに干渉せず、第２端子蓋５０Ｂを取り付ける際には規制部６４Ａが第２端子蓋５０Ｂに干渉しないため、蓋取り付け構造１に第１端子蓋５０Ａ及び第２端子蓋５０Ｂを選択的に取り付けることが可能になるとともに、取り付けた蓋を規制部によって仮固定することが出来る。このため、後に、外装部材の一例である側板によって蓋を固定する際に蓋がフレームから離間することが低減されるので、蓋を固定しやすくなる。
【００４６】
以上のように、デジタルカメラ１００Ａ、デジタルカメラ１００Ｂにおいて、図６、図７より、側板、端子蓋、端子は各々異なるが、フレーム６０は同一部品で構成されている。そして、フレーム６０上には、下から上に向かって順に、規制部６４Ａ、突起部６３Ａ、突起部６３Ｂおよび規制部６４Ｂ、規制部６４２Ｂが並んで設けられている。また、端子７１と突起部６３Ａとが前後方向に並んで配置されている。また、上下方向に並んで配置されている端子７１および端子７２のほぼ中央の前方に突起部６３Ｂが配置されている。
【００４７】
このような配置により、互いに異なる幅をもつ端子蓋のいずれも取り付けることが可能なフレーム６０を実現することが出来る。したがって、互いに異なる幅の端子蓋を備えたデジタルカメラ１００Ａおよびデジタルカメラ１００Ｂに対して、共通のフレーム６０を使用することが出来、これら２機種全体としての部品点数の削減が可能となる。
【００４８】
（その他の実施形態）
以上のように、本出願において開示する技術の例示として、実施の形態１を説明した。しかしながら、本開示における技術は、この開示の一部をなす論述及び図面はこの発明を限定するものであると理解すべきではない。この開示から当業者には様々な代替実施形態、実施例及び運用技術が明らかとなろう。すなわち、適宜、変更、置き換え、付加、省略などを行った実施の形態にも適用可能である。また、上記実施の形態１で説明した各構成要素を組み合わせて、新たな実施の形態とすることも可能である。
そこで、以下、他の実施の形態を例示する。
【００４９】
（Ａ）
上記実施の形態では、規制部６４Ａは突起部６３Ａの下方に設けられているが、別の場所に設けられていてもよい。例えば、突起部６３Ａの前方に位置し、後方に向けて突出するように構成されていてもよい。図１０は、このような構成の一例を示す突起部６３Ａ近傍の拡大図である。図１０に示す規制部１６４Ａは、突起部６３Ａの前側に配置されている。そして、規制部１６４Ａは、突起部６３Ａと同様にフレーム６０の前段部６０ａから右方向に突出した突起部２６４Ａの先端から突起部６３Ａの方向（後方向）に向かって形成されている。この場合、第１穴部５３Ａを突起部６３Ａに差し込んだ状態から第１端子蓋５０Ａがフレーム６０から離間することを防ぐために、規制部６４Ａの後方の先端から突起部６３Ａまでの隙間Ｓ２は、第１ヒンジ部５２Ａの第１穴部５３Ａよりも前側の部分５２１Ａの幅Ｗ２よりも短くなるように構成されている。規制部６４Ｂおよび規制部６４２Ｂについても同様の構成としてもよい。
【００５０】
（Ｂ）
また、規制部６４Ａは、突起部６３Ａの先端から、上下前後いずれかの方向に向けて突出するように設けられていてもよい。図１１は、このような構成の一例を示す突起部６３Ａ近傍の拡大図である。図１１に示す規制部３６４Ａは、突起部６３Ａの先端から前方に向かって形成されている。
【００５１】
（Ｃ）
また、規制部６４Ａを規制部６４Ｂと共用してもよい。
（Ｃ−１）すなわち、規制部６４Ｂを下方に延長し、規制部６４Ｂの先端と突起部６３Ａとのすき間が第１ヒンジ部５２Ａのうち第１穴部５３Ａより上側の幅よりも狭くなるようにし、これを規制部６４Ａの代わりとしてもよい。図１２は、このような構成を示す突起部６３Ａ近傍の拡大図である。図１２に示す規制部１６４Ｂは、図７に示す規制部６４Ｂを下方に延長したものである。前述のように、規制部１６４Ｂの先端と突起部６３Ａとの隙間Ｓ３が、第１ヒンジ部５２Ａの第１穴部５３Ａより上側の部分５２２Ａの幅Ｗ３よりも狭くなるように構成されている。この規制部１６４Ｂが、第２規制部の少なくとも一部と兼ねられている第１規制部の一例に対応する。
【００５２】
（Ｃ−２）図１３に示すように、突起部６３Ａの先端から上方向に突出して規制部５６４Ａが設けられ、この規制部５６４Ａが、規制部６４Ｂの代わりに機能してもよい。すなわち、規制部５６４Ａが、第２規制部の少なくとも一部と兼ねられている第１規制部の一例に対応し、第２端子蓋５０Ｂがフレーム６０に取り付けられた際には、規制部５６４Ａ及び規制部６４２Ｂによってフレーム６０からの離間が規制される。
【００５３】
（Ｄ）
上記実施の形態では、第２端子蓋５０Ｂの仮固定をより確実にするために、第２規制部の一例として規制部６４Ｂと規制部６４２Ｂを設ける構成としたが、規制部６４Ｂおよび規制部６４２Ｂのいずれか一方を省略してもよい。
【００５４】
（Ｅ）
第１取り付け部、第２取り付け部は、突起部６３Ａ，突起部６３Ｂに限らなくてもよい。
【００５５】
（Ｅ−１）
上記実施の形態では、第１取り付け部の一例として突起部６３Ａを説明した。第１取り付け部は、第１端子蓋５０Ａ（第１蓋の一例）をフレーム６０に取り付けることが出来さえすればよい。したがって、第１取り付け部は、突起部６３Ａに限定されない。例えば、図１４に示すように、第１取り付け部は、フレーム６０に形成された穴４６３Ａであってもよい。この場合、第１端子蓋５０Ａは、第１穴部５３Ａを有しておらず、第１ヒンジ部５２Ａから左方向に向かって突出して形成された突起部５２４Ａを有している。そして、この突起部５２４Ａが穴４６３Ａに挿入されることによって第１端子蓋５０Ａがフレーム６０に取り付けられる。尚、第１端子蓋５０Ａをフレーム６０に取り付けた状態では、第１端子蓋５０Ａの回転及びフレーム６０からの離間が規制部６４Ａによって規制されることになる。又、穴４６３Ａの位置は、第２端子蓋５０Ｂをフレーム６０に取り付けた状態において第２ヒンジ部５２Ｂに覆われる位置であってもよい。すなわち、第１取り付け部の一例である穴４６３の位置が、第２端子蓋５０Ｂをフレーム６０に取り付けた状態において、第２端子蓋５０Ｂの第２ヒンジ部５２Ｂと干渉するフレーム６０上の位置であってもよい。これは、突起部６３Ａの場合と異なり、穴４６３Ａの場合には、第２端子蓋５０Ｂがフレーム６０に取り付けられた状態において第２端子蓋５０Ｂに干渉しないためである。
【００５６】
要するに、第１取り付け部は、第２端子蓋５０Ｂがフレーム６０に対して装着された状態において第２端子蓋５０Ｂと干渉しないようにフレーム６０上に設けられておりさえすればよい。
【００５７】
（Ｅ−２）
又、上記実施の形態では、第２取り付け部の一例として突起部６３Ｂを説明した。第２取り付け部は、第２端子蓋５０Ｂ（第２蓋の一例）をフレーム６０に取り付けることが出来さえすればよい。したがって、第２取り付け部は、突起部６３Ｂに限定されない。例えば、図１５に示すように、第２取り付け部は、フレーム６０に形成された穴４６３Ｂであってもよい。この場合、第２端子蓋５０Ｂは、第２穴部５３Ｂを有しておらず、第２ヒンジ部５２Ｂから左方向に向かって突出して形成された突起部５２４Ｂを有している。そして、この突起部５２４Ｂが穴４６３Ｂに挿入されることによって第２端子蓋５０Ｂがフレーム６０に取り付けられる。尚、図１５では、突起部６３Ｂが設けられていないので、突起部６３Ｂの前端から形成されている規制部６４Ｂも設けられておらず、規制部６４Ｂの代わりに規制部６４３Ｂが形成されている。規制部６４３Ｂは、規制部６４２Ｂの下方に配置されており、規制部６４２Ｂの方向に向かって突出するように形成されている。第２端子蓋５０Ｂをフレーム６０に取り付けた状態では、第２端子蓋５０Ｂの回転及びフレーム６０からの離間が規制部６４３Ｂ及び規制部６４２Ｂによって規制されることになる。又、穴４６３Ｂの位置は、第１端子蓋５０Ａをフレーム６０に取り付けた状態において第１ヒンジ部５２Ａに覆われる位置であってもよい。すなわち、第２取り付け部の一例である穴４６３Ｂの位置が、第１端子蓋５０Ａをフレーム６０に取り付けた状態において、第１端子蓋５０Ａの第１ヒンジ部５２Ａと干渉するフレーム６０上の位置であってもよい。これは、突起部６３Ｂと異なり、穴４６３Ｂの場合には、第１端子蓋５０Ａがフレーム６０に装着された状態において第２端子蓋５０Ｂに干渉しないためである。
【００５８】
要するに、第２取り付け部は、第１端子蓋５０Ａがフレーム６０に対して装着された状態において第１端子蓋５０Ａと干渉しないようにフレーム６０上に設けられておりさえすればよい。
【００５９】
（Ｆ）
又、本実施の形態１では、突起部６３Ａは、第２端子蓋５０Ｂのフレーム６０への装着には利用されていないが、利用されても良い。図１６は、突起部６３Ａを第２端子蓋５０Ｂの取り付けに利用する例を示すための蓋取り付け構造の斜視図である。図１６に示す第２端子蓋５０Ｂの第２ヒンジ部５２Ｂには、第２穴部５３Ｂに加えて、突起部６３Ａに対応する第３穴部５３２Ｂが形成されている。そのため、図１６の第２端子蓋５０Ｂの第２ヒンジ部５２０Ｂは、実施の形態１で示した第２ヒンジ部５２Ｂと比較して上下方向の長さが長く形成されている。又、図１６に示すフレーム６０には、規制部６４Ｂが設けられていない。第２端子蓋５０Ｂをフレーム６０に取り付ける際には、突起部６３Ａを第３穴部５３２Ｂに挿入し、突起部６３Ｂを第２穴部５３Ｂに挿入し、第２ヒンジ部５２０Ｂを規制部６４Ａ及び規制部６４２Ｂの左側に潜り込ませることによって第２ヒンジ部５２０Ｂのフレーム６０からの離間が規制され、第２端子蓋５０Ｂがフレーム６０に仮固定される。すなわち、突起部６３Ａ及び突起部６３Ｂが第２取り付け部の一例に対応し、第１取り付け部の一例である突起部６３Ａは第２取り付け部の一部と兼ねられることになる。
【００６０】
（Ｇ）
実施の形態１では、突起部６３Ｂは段差部６０Ｃから前方向に突出するように形成されているが、突起部６３Ａのように段差部６０Ｃから離間して設けられていても良い。また、突起部６３Ａが、突起部６３Ｂのように段差部６０Ｃから突出するように形成されていてもよい。
【００６１】
（Ｈ）
上記実施の形態では、端子を覆う蓋を備えたデジタルカメラを例にとって説明したが、サイズの異なる蓋を備える複数機種間において部品の共用化が可能な電子機器であれば、蓋は何を覆うための蓋であってもよい。例えば、端子の代わりにメモリカードスロットを覆うための蓋であってもよい。
【００６２】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、上述の実施の形態は、本開示における技術を例示するためのものであるから、特許請求の範囲またはその均等の範囲において種々の変更、置き換え、付加、省略などを行うことができる。
【産業上の利用可能性】
【００６４】
本開示の蓋取付構造によれば、サイズの異なる蓋を備える複数機種間において部品の共用化が可能な電子機器を提供することができるため、デジタルスチルカメラ、デジタルビデオカメラ、携帯電話、スマートフォン、ＰＣ等の電子機器分野に利用可能である。
【符号の説明】
【００６５】
１０  前板
１１  開口部
２０  後板
３０  上板
４０Ａ  側板
４０Ｂ  側板
４１Ａ  穴
４１Ｂ  穴
４２Ｂ  穴
５０Ａ  第１端子蓋
５０Ｂ  第２端子蓋
５１Ａ  第１蓋部
５１Ｂ  第２蓋部
５２Ａ  第１ヒンジ部
５２Ｂ  第２ヒンジ部
５３Ａ  第１穴部
５３Ｂ  第２穴部
６０  フレーム
６０Ａ  前段部
６０Ｂ  後段部
６３Ａ  突起部
６３Ｂ  突起部
６４Ａ  規制部
６４Ｂ  規制部
６４２Ｂ  規制部
７０  基板
７１  端子
７２  端子
８０  レンズ
１００Ａ  デジタルカメラ
１００Ｂ  デジタルカメラ
【図１】
2013167864.tif 000003
【図２】
2013167864.tif 000004
【図３】
2013167864.tif 000005
【図４】
2013167864.tif 000006
【図５】
2013167864.tif 000007
【図６】
2013167864.tif 000008
【図７】
2013167864.tif 000009
【図８】
2013167864.tif 000010
【図９】
2013167864.tif 000011
【図１０】
2013167864.tif 000012
【図１１】
2013167864.tif 000013
【図１２】
2013167864.tif 000014
【図１３】
2013167864.tif 000015
【図１４】
2013167864.tif 000016
【図１５】
2013167864.tif 000017
【図１６】
2013167864.tif 000018